(57)【要約】【課題】片手でも確実に構え撮影することのできるハンドグリップを備えた携帯用撮像機器を提供する。【解決手段】携帯用撮像機器の本体部１と、本体部１の前面左端に配置される撮影レンズ２と、本体部１の前面に取り付けられるベルト状のハンドグリップ部１０を備え、ハンドグリップ部１０は、撮影レンズ２を回避する位置に配置されて、下端が本体部１の下部に係止され、上端が本体部１の上部を通過させるようにして本体部１前面を上下に縦断する取り付けられて、本体部を把持するための指を横方向から挿入させる。【選択図】図１
2007033941.tif 000002
【特許請求の範囲】
【請求項１】
撮影時に本体部を把持するためのハンドグリップ部が備えられた携帯用撮像機器において、
被写体側に向く前面に撮影レンズが配置される本体部と、
前記撮影レンズを回避しつつ本体部前面を上下に縦断するように本体部に取り付けられ、本体部を把持するための指を横方向から挿入させるように設けられるベルト状のハンドグリップ部と、を備えた
ことを特徴とする携帯用撮像機器。
【請求項２】
前記ハンドグリップ部の上端から先には、前記本体部を首から下げるためのネックストラップ部が当該ハンドグリップ部と連続して設けられる
ことを特徴とする請求項１記載の携帯用撮像機器。
【請求項３】
前記ハンドグリップ部はその下端が前記本体部の下部に係止され、
前記上端は前記本体部の上部に設けられた隙間に挿通されて本体部の上部に出される
ことを特徴とする請求項２記載の携帯用撮像機器。
【請求項４】
前記撮影レンズは前記本体部の前面側端に配置され、
前記ハンドグリップ部は前記本体部前面の幅方向で中央の位置に配置される
ことを特徴とする請求項１乃至３いずれか1項に記載の携帯用撮像機器。
【請求項５】
前記ハンドグリップ部は前記本体部前面を斜めに縦断するように取り付けられる
ことを特徴とする請求項１記載の携帯用撮像機器。
【請求項６】
前記ハンドグリップ部は、本体部前面の下端で一箇所かつ上端で2箇所本体部に係止されて、被写体側から見てY字形状になるように設けられている
ことを特徴とする請求項１記載の携帯用撮像機器。
【請求項７】
前記ハンドグリップ部は、本体部前面の上下端それぞれ２箇所で本体部に係止され、被写体側から見てX字形状になるように設けられている
ことを特徴とする請求項１記載の携帯用撮像機器。
【請求項８】
撮影時に本体部を把持するためのハンドグリップ部が備えられた携帯用撮像機器において、
被写体側に向く本体部前面の側端に配置され、被写体方向に突出して設けられ先端周囲に突出部を有する撮影レンズ鏡筒と、
本体部前面を上下に縦断して撮影レンズ鏡筒を遮蔽するように本体部に取り付けられ、
本体部を把持するための指を横方向から挿入させるように設けられるベルト状のハンドグリップ部と、を備え
前記ハンドグリップ部は変形自在な材質から成り、このハンドグリップ部の撮影レンズ鏡筒を覆う部分は、操作により撮影レンズ鏡筒の前から移動され前記突出部に引っかけられて撮影レンズ鏡筒前面の開放状態が維持されるように変形する
ことを特徴とする携帯用撮像機器。
【請求項９】
撮影時に本体部を把持するためのハンドグリップ部が備えられた携帯用撮像機器において、
被写体側に向く前面に撮影レンズが配置される本体部と、
前記本体部前面を上下に縦断するとともに前記撮影レンズを遮蔽する位置と開放する位置の少なくとも２つの位置を選択自在に取りうるように本体部に取り付けられ、本体部を把持するための指を横方向から挿入させるように設けられるベルト状のハンドグリップ部と、を備えた
ことを特徴とする携帯用撮像機器。
【請求項１０】
前記ハンドグリップ部は両端部が前記本体部上下でそれぞれ係止され、一方の端部は固定的に係止され、他方の端部は撮影レンズを遮蔽する位置用と開放する位置用に別々に本体部に設けられた係止部のいずれかに係止されて、前記撮影レンズを遮蔽する位置と開放する位置の２つに位置を選択自在に取りうる
ことを特徴とする請求項９に記載の携帯用撮像機器。
【請求項１１】
前記ハンドグリップ部は、カメラ本体部の幅方向に移動自在に取り付けられて、前記撮影レンズを遮蔽する位置と開放する位置の２つに位置を選択自在に取りうる
ことを特徴とする請求項９記載の携帯用撮像機器。
【請求項１２】
携帯用撮像機器の本体部を撮影時に把持するために備えられる携帯用撮像機器用のハンドグリップにおいて、
前記携帯用撮像機器用のハンドグリップは、本体部の前面に配置される撮影レンズを回避しつつ本体部前面を上下に縦断するように本体部に取り付けられ、本体部を把持するための指を横方向から挿入させるように設けられる
ことを特徴とする携帯用撮像機器用のハンドグリップ。
【発明の詳細な説明】
【技術分野】
【０００１】
この発明は、ハンドグリップが備えられる携帯用撮像機器および携帯用撮像機器用のハンドグリップに関するものである。
【背景技術】
【０００２】
カメラの多くにはストラップ（あるいはハンドグリップやベルトとも呼ばれる）が備えられている。このストラップには、大きく分けて携帯時のカメラ携行用と撮影時のカメラ保持用の２つのタイプがある。
【０００３】
カメラ携行用としては、例えば携行用タイプのストラップでハンドストラップと呼ばれるタイプが許文特献１に開示されている。これでは、手首を通すための適当な輪になったひも状のストラップがデジタルカメラ本体側面に取り付けられている。
【０００４】
一方、デジタルカメラに比較して重量の重いビデオムービーカメラでは、撮影中にカメラの重量を手で支えるためにグリップベルトが設けられている。サイズの大きいビデオムービーではカメラ部の重量を支えるためとかつ長時間構えることを支援するために、グリップとしての手をささえるように設けられている。例えば特許文献２に開示されたカメラでは、カメラ本体側面に、カメラを把持する手の指を差し入れる隙間を形成するようにグリップベルトが取り付けられていて、グリップベルトはその一端を外すと、携行用のストラップに変形できるようにもなっている。
【０００５】
このビデオムービーカメラに比べて通常のデジタルカメラは小型軽量でかつ撮影時間が短時間でもあるために、撮影時のカメラの把持スタイルは片手で撮影することは考慮されず左右両手持ちが想定されている。従って、通常のデジタルカメラではビデオムービーカメラのようなグリップベルトスタイルは実現されていない。
【特許文献１】特開平０５−１４５８８１号公報
【特許文献２】特開２００４−２８７３３４号公報
【発明の開示】
【発明が解決しようとする課題】
【０００６】
上述のように、従来のデジタルカメラでは片手で撮影するような場面は特段には考慮されていなかった。一方、撮影者自身が動いている場面例えばスキーやスノーボードで滑降中に片手で操作して確実に撮影できるようなカメラの実現は潜在的な要求として十分に考えられる。
【０００７】
しかし、従来のデジタルカメラでは、両手持ちに適した形態になっていて片手撮りを想定した形態にはなされていないので、カメラが安定して構えられないばかりでなく、落下させてしまうおそれもある。ここでストラップに手首を入れておくことは落下防止には有効であるが、撮影時のカメラ安定の補助にはならない。
【０００８】
一方デジタルカメラは一般にビデオムービカメラよりサイズが小さく厚みも薄いので、デジタルカメラ筐体側面に上述したようなハンドグリップを取り付けるようなことは単純にはできない。
【０００９】
本願発明は、上記課題に鑑み、デジタルカメラのような小型の携帯用撮像機器であって、片手でも確実に構えることのできるハンドグリップを備えた携帯用撮像機器およびこの携帯型撮像機器のハンドグリップを提供することを目的とする。
【課題を解決するための手段】
【００１０】
上記目的を達成するために、本願発明は、撮影時に本体部を把持するためのハンドグリップ部が備えられた携帯用撮像機器において、被写体側に向く前面に撮影レンズが配置される本体部と、前記撮影レンズを回避しつつ本体部前面を上下に縦断するように本体部に取り付けられ、本体部を把持するための指を横方向から挿入させるように設けられるベルト状のハンドグリップ部と、を備えたことを特徴とする。
【００１１】
更に、本願発明は、携帯用撮像機器の本体部を撮影時に把持するために備えられる携帯用撮像機器用のハンドグリップにおいて、前記携帯用撮像機器用のハンドグリップは、本体部の前面に配置される撮影レンズを回避しつつ本体部前面を上下に縦断するように本体部に取り付けられ、本体部を把持するための指を横方向から挿入させるように設けられる
ことを特徴とする。
【発明の効果】
【００１２】
本発明によれば、片手でも確実に把持できる携帯用撮像機器やこの携帯用撮像機器のハンドグリップが提供できるようになる。
【発明を実施するための最良の形態】
【００１３】
以下、図示の実施形態によって本発明を説明をする。なお、以下の実施例では、本願発明を携帯用撮像機器としてのデジタルカメラに適用した例で説明する。また以下で用いる「左右」は、特にことわりのない場合は被写体から見た基準で示す。
【実施例１】
【００１４】
図１乃至図5は、本願発明の第１の実施例を説明する図である。図１は本発明が適用されたデジタルカメラの外観図で、図１（Ａ）はこのデジタルカメラの前面図、図１（Ｂ）は同じく背面図である。本体部１は全体として縦長の形状で、被写体側に向かう面である本体部１の前面は、中央の平坦な面と左右のそれぞれ幅方向端部に向かって外側に傾斜する面で形成され、中央部分が厚く左右端で薄くなるよう構成される。本体部１の背面は全体としてほぼ平坦な面に形成されている。
【００１５】
そして、前記傾斜する面のうちで本体部１の前面左側の傾斜面の上部には、撮影レンズ２を内蔵する撮影レンズ鏡筒２（ａ）が被写体方向に突出するように設けられている。そして撮影レンズ鏡筒２の下には、内部にキセノン管を保護するストロボ窓３が配置されている。
【００１６】
本体部１の背面（図１（Ｂ）参照）には、中央に撮影画像を表示させる画像表示部５、画像表示部５の下に表示される画像の送り指示や撮影条件変更指示を行うためのＸＹ操作ボタン６、画像表示部５の上部右にはカメラモード選択用のダイヤル７が配置されている。また、本体部１の撮影者から見て左側面上部には撮影指示用のレリースボタン４が配置されている。
【００１７】
本体部１の前面中央には、本体部１を上下で縦断するようにストラップ１０が取り付けられている。ストラップ１０は、例えば本体部１の１／４〜１／３程度の幅を有するベルト形状で、材質としては例えば織物や合成樹脂のものが好ましい。またストラップ１０は長手方向に適度な弾性を備えていても良い。
【００１８】
本体部１の前面の上部幅方向の中央及び下部幅方向の中央の部分には、ストラップ１０取り付け用に凹部が形成されている。本体部１の下部中央の凹部には軸状の係止部ａ１３が本体幅方向に平行に設けられている。また、本体部１の上部中央の凹部には軸状の挿通部材１２が、凹部表面と所定の隙間を形成するようにして本体部１の幅方向に平行に設けられている。
【００１９】
ストラップ部１０はベルト状の一端が係止部ａ１３に係止されて本体部１に固定的に取り付けられる。そしてストラップ部１０は、もう一方の端部を本体部１上部の凹部と挿通部材１２の間の前記隙間を通過させるようにして、本体部１に取り付けられる。そして本体部１から排出された直後のストラップ部１０にはストラップ部１０の長さを調整するための調整部材１１が組みつけられる。そして調整部材１１を通過したストラップ部１０の先端は、後は適当な長さの輪を形成するように折り返されて調整部材１１に固定される。調整部材１１は材質が例えば金属又は樹脂製で、内部をストラップ部１０が通過させるようになっている。
【００２０】
ここで、ストラップ部１０は、上述したように一本の連続したベルトで構成されるが、機能的には主に本体部１を把持するためのハンドグリップ部１０ａと、主に本体部１を携帯するためのネックストラップ部１０ｂの２つに分けられる。つまり、ストラップ部１０の中で本体部１の前面を覆っている部分が主に本体部を把持するためのハンドグリップ部１０ａで、本体部１の外でハンドグリップ部１０ａの先で一周して折り返されている部分が撮影者の首から本体部１をかけておくためのネックストラップ部１０ｂに該当する。
【００２１】
また、ハンドグリップ部１０ａと本体部１前面の間に操作者の指が入る程度の隙間を確保するように調整部材１１によって調整される。ハンドグリップ部１０ａは、ハンドグリップ部１０ａと本体部１の間に差し込まれて本体部１を把持する手の甲や指に適度な押圧力を加えて、本体の確実な把持を援助するよう作用する。
【００２２】
図２はこのデジタルカメラの具体的な使用場面例を示す図である。この図は撮影者の指の握り付近を判りやすくするためにデジタルカメラの部分を大きく描いてある。デジタルカメラはネックストラップ部１０ｂで撮影者の首にかけられ、本体部１とハンドグリップ部１０ａの間に本体部１の横方向から右手の指４本が差し込まれて本体部１が把持されている。撮影レンズ２は把持した手の上部にあって外観に露出され、握った手で撮影が阻害されないようになっている。また背面の画像表示部５にはモニター画像が表示されるが、把持する手で表示が阻害されることもない。また、本図は右手で把持する状態を示しているが、ハンドグリップ部１０ａが中央に配置されているので左手でも左右対称で同様な把持が可能である。
【００２３】
図1で示すデジタルカメラではレリースボタン４は本体部１の側面に配置されていたが、これに限られるものではない。図３（Ａ）、（Ｂ）は、レリースボタンの他の配置例を示す図である。なお本例では、本体部１やハンドグリップ部１０ａの基本的な形態は、図１と同等である。レリースボタン４は、例えば図３（Ａ）のように、本体部１の背面の画像表示部５の下部にあたる位置に配置してもよい。ここでレリースボタン４は同図のように把持した右手親指で矢印Ｐ方向に押圧操作される。
【００２４】
また、図３（Ｂ）のように、レリースボタン４は本体部１の撮影者から見て右側面上部の位置に配置されてもよい。レリースボタン４はこの場合も把持した右手親指で押圧操作されるが、上記（Ａ）とは異なる矢印Ｐ方向に操作される。
【００２５】
以上本願発明の第１の実施形態に係る携帯用撮像機器では、ハンドグリップ部１０ａを本体部前面に上下を縦断して設けるようにしたので、ハンドグリップ部１０ａの支援作用により撮影時に片手でも撮像機器本体部を安定して把持でき、手ブレの少ない撮影が実現できる。また  撮影レンズ２が端部に配置されているので撮影者の把持した手や指で隠されることがなく、撮影者はこの状態で背面の画像表示部５でモニター画像で画角の確認もできる。さらに、ハンドグリップ部１０ａに一体的にネックストラップ部１０ｂが設けられているので、携帯時及び撮影時いずれでも簡単に撮像機器を首から下げておくことができ、万一撮影時に把持した手を滑らせても、撮像機器の地面への落下を防止できる。また、ハンドグリップ部１０ａの取り付け面を撮像機器の前面としているので、デジタルカメラのような薄型の本体部であっても、良く適用できる。
【００２６】
なお、上記説明について、ハンドグリップ部１０ａにネックストラップ部１０ｂが一体的につなげられた例で説明したが、必ずしもネックストラップ部１０ｂは備えられなくて良く、ハンドグリップ部１０ａのみで構成されていても本願発明は同等な作用効果を奏する。
【００２７】
図４及び図５は、実施例１の変形例を示す図である。これら変形例は、実施例１以外のハンドグリップ部１０ａの配置の態様を説明するためのものなので、説明簡略化のため、係止部と挿通部材等の図示は省略している。また、ネックストラップ部の図示も一部省略している。
【００２８】
図４（Ａ）及び（Ｂ）は、実施例１の第1の変形例を示す図である。本例は、ハンドグリップ部１０ａが本体部１の前面に斜めに縦断されて取り付けられた例である。まず、図４（Ａ）では、ハンドグリップ部１０ａが本体部１前面の左上隅から右下隅に斜めに縦断するように取り付けられた例を示す。ハンドグリップ部１０ａはその一端が本体部１の右下隅に設けられている不図示の係止部に係止されている。さらに、ハンドグリップ部１０ａは他端が本体部１の左上隅に設けられている不図示の挿通部材を通り排出され、ネックストラップ部１０ｂに繋がる。
【００２９】
ここで、撮影レンズ２は本体部１前面の右上に、ストロボ窓３はカメラ幅方向で中央上部に配置され、それぞれハンドグリップ部１０ａと把持された手にさえぎられない位置に設けられている。そして右手の指が被写体からみて左から右に向かって本体部１とハンドグリップ部１０ａの間に差し込まれ、ハンドグリップ部１０ａが差し込まれた指を適当な力で押える。
【００３０】
次に図４（Ｂ）は、上記図４（Ａ）とは逆向きの斜めにハンドグリップ部１０ａが本体部１の前面に取り付けられた例を示す図である。ハンドグリップ部１０ａは本体部１前面の右上隅から左下隅に斜めに縦断するように取り付けられている。ハンドグリップ部１０ａはその一端が本体部１の左下隅に設けられている不図示の係止部に係止されている。さらに、ハンドグリップ部１０ａは他端が本体部１の右上隅に設けられている不図示の挿通部材を通り排出され、ネックストラップ部１０ｂに繋がる。そして右手の指が被写体からみて左から右に向かって本体部１とハンドグリップ部１０ａの間に差し込まれ、カメラが把持される。
【００３１】
この図４（Ａ）及び（Ｂ）の例では、本体部１に対してハンドグリップ部１０ａが斜めに取り付けられているので、ハンドグリップ部１０ａの長さが図1の場合に比較して相対的に長くできる。つまり、挿入された指との接触スパン長を長く確保することができ、把持性がさらに安定する。また図４（Ａ）の例では、更に撮影レンズ部２が手から十分に遠い位置に配置できるので、誤って指で撮影レンズを覆うおそれが更に少なくできる。
【００３２】
図５（Ａ）及び（Ｂ）は、実施例１の第２の変形例を示す図である。本例は、ハンドグリップ部１０ａが本体部１の前面で左右いずれか偏った位置に取り付けられた例である。
【００３３】
まず、図５（Ａ）は、ハンドグリップ部１０ａが本体部２の前面の左側に偏った位置で上下に垂直に縦断するように本体部１の前面に取り付けられた例を示す図である。本体部１の前面において、撮影レンズ２は右上隅に配置され、ストロボ発光窓３は撮影レンズ２の左に隣接して上部中央配置され、撮影レンズ２とストロボ発光窓３はハンドグリップ１０ａや挿入された指によって覆われないような位置に設けられている。
【００３４】
次に同図（Ｂ）は、ハンドグリップ部１０ａが本体部２の右側に偏った位置で上下に垂直に縦断するように本体部１の前面に取り付けられた例を示す図である。本体部１の前面には、撮影レンズ２が左上隅に配置され、ストロボ発光窓３が撮影レンズ２の右に隣接して配置され、撮影レンズ２とストロボ発光窓３がハンドグリップ１０ａや挿入された指に干渉されないような位置に設けられている。
【００３５】
上述したように第1、第2いずれの変形例でも、ハンドグリップ部１０ａと本体部１の間に差し込まれて本体部１を把持する手の甲や指をハンドグリップ部１０ａは適度な力で押えて、本体の確実な把持を援助する役割を果たす。
【００３６】
なお、実施例1と同様に上記第1、第2いずれの変形例でも、ネックストラップ部１０ｂは必ずしも備えられなくて良く、ハンドグリップ部１０ａのみで構成されていても上述したと同等な作用効果を奏する。
【実施例２】
【００３７】
次に本願発明の実施例２について、図６（Ａ）、（Ｂ）を用いて説明する。本実施例は、ハンドグリップを１直線の形状でなく、複数の線からなる形状にした例である。説明簡略化のため、係止部と挿通部材等の図示は省略している。また、ネックストラップ部の図示も一部省略し、また同一の機能を有する部品等には実施例１と同一の参照符号を付している。
【００３８】
図６（Ａ）は、ハンドグリップ１０ａが本体部前面にＹ字状に取り付けられた例を示す図である。本図は、第1実施例と同様にデジタルカメラを前面から見た図である。
【００３９】
ハンドグリップ１０ａはＹ字形状に形成され、本体部１の中央で略同じ幅で3つの枝（ベルト枝部１０ａａ、１０ａｂ）に分かれている。中央から下側に垂直に設けられているベルト枝部１０ａａが本体部１の下部中央に係止されている。残りの２つのベルト枝部１０ａｂが中央から斜めに左右端にそれぞれ伸びるように設けられ、本体部１の上部の左右端に向かい、不図示の挿通部材を介して外部に出るように設けられる。さらにベルト枝部１０ａｂに点線で示すネックストラップ部１０ｂが連続して形成される。
【００４０】
対応して本体部１にはベルト枝部１０ａａの端部を係止する不図示の係止部が下部中央に設けられている。また、本体部１の上部左右端２箇所は正面から見て斜めに傾斜して形成され、この傾斜部に２つのベルト枝部１０ａｂを通過させる不図示の挿通部材がそれぞれ設けられている。
【００４１】
さらに、本体部１の中央の上部には上に突出する半円状の膨らみ部が形成され、その膨らみ部に撮影レンズ２が配置され、撮影レンズ2の直下にストロボ窓３が配置されている。  撮影レンズ2とストロボ窓３はいずれもハンドグリップ１０ａや挿入された指に干渉されないような位置に設けられている。そして右手の指が被写体からみて左から右に向かって本体部１とハンドグリップ部１０ａａや１０ａｂの間に差し込まれ、カメラが把持される。
【００４２】
図６（Ｂ）は、ハンドグリップ１０ａが本体部前面にＸ字状に取り付けられた例を示す図である。ハンドグリップ１０ａはＸ字形状に形成され、本体部１の中央で略同じ幅で４つの枝（ベルト１０ａｃ、１０ａｄ、１０ａｅ）に分かれている。本体部１の中央部分に、上下の垂直なベルト枝部10ａｃが設けられている。このベルト枝部10ａｃの下端から左右対象的に斜め下方に２つのベルト枝部１０ａｄが伸び、このベルト枝部１０ａｄの先端が本体部１の下部左右端に係止される。またベルト枝部１０ａｃの上端から左右対象的に斜め上方に２つのベルト枝部１０ａｅが伸び、ベルト枝部１０ａｅの先端が本体部１の上部左右端に向かい、不図示の挿通部材を介して外部に出るように設けられる。さらにベルト枝部１０ａｅに点線で示すネックストラップ部１０ｂが連続して形成される。
【００４３】
本体部１の上部中央の形状は、図６（Ａ）と同様に上に突出するようなふくらみが形成され、その膨らみの位置に撮影レンズ２を配置し、撮影レンズ2の直下にストロボ窓３が配置されている。そして右手の指が被写体からみて左から右に向かって本体部１とハンドグリップ部１０ａｅ、１０ａｄ、１０ａｃの間に差し込まれ、カメラが把持される。
【００４４】
以上第２実施例によれば、ハンドグリップ部１０ａと本体部１の間に差し込まれて本体部１を把持する手の甲や指をハンドグリップ部１０ａは適度な力で押えて、本体の確実な把持を援助する役割を果たす。さらに第２実施例では、ハンドグリップが本体部の左右複数箇所で係止されているので、ハンドグリップが本体部に対して回転等なく安定して取り付けられ、これにより把持も確実になる。
【実施例３】
【００４５】
次に本願発明の実施例３についてを、図７（Ａ）、（Ｂ）を用いて説明する。本実施例は、ハンドグリップに更にレンズバリアの機能を加えた発明である。図７（Ａ）、（Ｂ）は、いずれも本願実施例に係るデジタルカメラを斜め下からみた斜視図で、図７（Ａ）は本実施例の非撮影時の状態を示し、図７（Ｂ）は撮影時の状態を示す。同一の機能を有する部品等には実施例１と同一の参照符号を付している。
【００４６】
縦長の本体部１の前面全体に本体部１の幅と同等な幅を有したハンドグリップ１０ａが取り付けられる。本体部１の前面下部には破線で示す係止部１３が設けられ、本体部１前面の上部には挿通部材１２が設けられる。係止部１３は破線で示されるように細長の円筒部分を有してこの円筒部分の下面と本体部１外観の間に隙間が空くようにして、その両端で本体部１に取り付けられる。ハンドグリップ１０ａの先端がこの隙間を通過して係止部１３の円筒部分の表面に巻きつけられて固定される。
【００４７】
挿通部材１２は、両端が曲げられた棒状部材で、この棒状部分と本体部１の表面との間にハンドグリップ１０ａを通過させる隙間が形成されるようにして、その両端が本体部１の上部左右端に取り付けられる。そしてハンドグリップ１０ａはその上端が前記隙間を通過させるようにして本体部１前面に取り付けられる。そして、本体部の左上隅には撮影レンズ２が配置されている。
【００４８】
図７（Ａ）は、撮影レンズ２は破線で示されるようにハンドグリップ１０ａで覆われている状態を示す図である。つまりこの状態では、ハンドグリップ１０ａは撮影レンズ２を保護するレンズバリアの機能も果たしている。
【００４９】
図７（Ｂ）は、ハンドグリップ１０ａが撮影レンズ２の前面から撮影者によってめくり上げられて退避させられた状態、つまり撮影可能な状態を示す図である。ここで、図７（Ｂ）の右上の丸内の図は、撮影レンズ鏡筒２ａの側面形状とハンドグリップ１０ａの関係を下から見て示す図である。理解容易のために拡大して示してある。撮影レンズ鏡筒２ａには、先端全周にフランジ２ａａが形成されている。つまり撮影レンズ鏡筒２ａはその円筒状の先端の径が中間部より一段太くなるように構成されている。これにより、撮影者により撮影レンズ鏡筒２ａからめくり上げられて退避させられるハンドグリップ１０ａがフランジ２ａａにその側面が引っかかり、ハンドグリップ１０ａの回避された状態が維持されることになる。つまり使用時には、撮影者によって撮影レンズ２付近のハンドグリップ１０ａがめくり挙げられ、そしてハンドグリップ１０ａがその側面を撮影レンズ鏡筒２ａのフランジ２ａａに引き掛けるように移動させられることにより、撮影レンズ鏡筒２ａからハンドグリップ１０ａが回避された状態が維持されて、本カメラは簡単に撮影可能な状態にすることができる。
【００５０】
以上説明したように、第３の実施例では、ハンドグリップ部１０ａは、ハンドグリップ部１０ａと本体部１の間に差し込まれて本体部１を把持する手の甲や指を適度な力で押えて、本体部の確実な把持を援助する役割を果たすとともに、更にレンズバリアとしても利用できるので、従来のような専用のレンズバリアが不要になる。
【実施例４】
【００５１】
次に本願発明の実施例４について図８を用いて説明する。本実施例は、レンズバリアの機能が加えられたハンドグリップの更なる例である。図８は、本願実施例に係るデジタルカメラを斜め左上からみた斜視図である。同一の機能を有する部品等には実施例１と同一の参照符号を付している。
【００５２】
本体部１の前面の左上隅に撮影レンズ２が配置され、撮影レンズ２の直下にストロボ窓３が配置されている。本体部１の前面にはハンドグリップ１０ａが本体部１を縦断するように取り付けられる。ハンドグリップ１０ａは全体または一部分が伸縮自在な弾性材（例えばゴム含有織物）から構成される。
【００５３】
ハンドグリップ１０ａを係止させるための係止手段として、本体部１にはその上面左端に係止部ｃ１５、右端に係止部ｂ１４の２つの係止部が設けられている。係止部ｂ１４、係止部ｃ１５はそれぞれ円筒状形状で本体部１の面から飛び出すように設けられている。ハンドグリップ１０ａの一端は本体部１の下面の左端に固定的に係止される。一方、ハンドグリップ１０ａのもう一方の端部には係止孔１０ｃが形成されていて、この係止孔１０ｃが係止部ｂ１４または係止部ｃ１５のいずれかに選択的に掛けられる。
【００５４】
実線で描かれるハンドグリップ１０ａは、ハンドグリップ１０ａが係止部ｂ１４に係止され、ハンドグリップ１０ａが撮影レンズ２とストロボ窓３を開放する位置にある状態を示す。また、破線で描かれるハンドグリップ１０ａは、ハンドグリップ１０ａが係止部ｃ１５に係止され、ハンドグリップ１０ａが撮影レンズ２とストロボ窓３を遮蔽する位置にある状態を示す。ハンドグリップ１０ａはいずれの位置にあっても、横から差し込まれて本体部を把持する手（不図示）の保持を援助する。
【００５５】
以上説明したように、第４の実施例では、ハンドグリップ部１０ａと本体部１の間に差し込まれて本体部１を把持する手の甲や指をハンドグリップ部１０ａは適度な力で押えて、本体の確実な把持を援助する役割を果たすとともに、更に、レンズバリアとしても利用できるので、従来のような専用のレンズバリアが不要になる。そして非撮影位置と撮影位置の選択が、係止部を変更するだけですむので、操作性もよい。また、ハンドグリップ１０ａ弾性材からなるので、いずれの位置にあっても、把持される手に適度な圧迫力を加えて、把持を補助することができる。
【実施例５】
【００５６】
次に本願発明の実施例５について図９を用いて説明する。本実施例も、レンズバリアの機能が加えられたハンドグリップの更なる例である。図９は、本願実施例に係るデジタルカメラを斜め左上から見た斜視図である。なお、同一の機能を有する部品等には実施例１と同一の参照符号を付している。
【００５７】
本体部１の前面の左上隅に撮影レンズ２が配置され、撮影レンズ２の直下にストロボ窓３が配置されている。本体部１の前面にはハンドグリップ１０ａが本体部１を上下に縦断するように配置される。ハンドグリップ１０ａは、本体部１の幅の１／３程度の幅を有し、弾性を備えた材料からなる。なお、後述するようにハンドグリップ１０ａの位置は、実線で示される位置と破線で示される位置を取ることができる。
本体部１の上縁には、ハンドグリップ１０ａの上端が係止されるスリーブａ１６が取り付けられる。このスリーブａ１６は、ハンドグリップ１０ａの幅と同等な長さのパイプ形状を備え、外周面にハンドグリップ１０ａの上端が係止される。本体部１の上縁には本体部１の幅より多少短いスライド軸ａ１７が、幅方向に平行に設けられる。スリーブａ１６はスリーブａ１６の内部にスライド軸ａ１７を貫通させるように本体部１に取り付けられる。
【００５８】
そして本体部１の下縁には、上と同様なパイプ形状のスリーブｂ１８が配置され、外周面にハンドグリップ１０ａの下端が係止される。さらに本体部１の下縁には、スライド軸ａ１６と同等な長さでかつ平行なスライド軸ｂ１８が設けられる。スリーブｂ１８もスリーブｂ１８の内部にスライド軸ｂ１９を貫通させるように本体部１に取り付けられる。
【００５９】
これにより、ハンドグリップ１０ａは本体部１に対して幅方向に移動自在になる。つまり、上記構成によって、ハンドグリップ１０ａは、矢印Ｘ方向に移動でき、実線で示されるような撮影レンズ２やストロボ窓３を開放する位置と、破線で示されるような撮影レンズ２やストロボ窓３を遮蔽する位置を撮影者によって選択自在にとりうるようになる。
【００６０】
以上により第5の実施例では、ハンドグリップ１０ａがいずれの位置にあっても、把持される手に適度な圧迫力が加わって把持が補助され、さらに、ハンドグリップ１０ａが撮影レンズを選択的に遮蔽するので専用のレンズバリアが不要になる。そして非撮影位置と撮影位置の選択が、ハンドグリップ１０ａをスライドさせるだけですむので、切換の操作性もよい。
【００６１】
以上実施例１から５までを携帯型撮像装置としてデジタルカメラに適用した例で説明してきたが、当然これに限定されることなく、例えばビデオカメラやカメラ付き携帯電話等に適用できる。
【００６２】
また、本発明は、上述の実施形態をそのままに限定されるものでなく、実施段階では、その要旨を逸脱しない範囲で構成要素を具体化できる。
【図面の簡単な説明】
【００６３】
【図１】本発明の第1の実施例を示すデジタルカメラの外観図。
【図２】本発明の第1の実施例のデジタルカメラの具体的な使用形態例を示す図。
【図３】本発明の第1の実施例について、レリースボタン位置の他の例を示す図。
【図４】本発明の第1の実施例について、本体部に対するハンドグリップ位置を変えた第1の変形例を示すデジタルカメラの外観図。
【図５】本発明の第1の実施例について、本体部に対するハンドグリップ位置を変えた第２の変形例を示すデジタルカメラの外観図。
【図６】本発明の第２の実施例を示すデジタルカメラの外観図。
【図７】本発明の第３の実施例を示すデジタルカメラの外観図。
【図８】本発明の第４の実施例を示すデジタルカメラの外観図。
【図９】本発明の第５の実施例を示すデジタルカメラの外観図。
【符号の説明】
【００６４】
１…本体部、２…撮影レンズ、２ａ…撮影レンズ鏡筒、2ａａ…フランジ、
３…ストロボ窓、４…レリースボタン，５…画像表示部  、６…ＸＹ操作ボタン、７…ダイヤル、
１０…ストラップ、１０ａ…ハンドグリップ部、
１０ａａ、１０ａｂ、１０ａｃ、１０ａｄ、１０ａｅ…ベルト枝部
１０ｂ…ネックストラップ部、
１０ｃ…係止孔、１１…調整部材、１２…挿通部材、１３…係止部ａ、１４…係止部ｂ、１５…係止部ｃ、１６…スリーブａ、１７…スライド軸ａ、１８…スライド軸ｂ、
１９…スリーブｂ
【図１】
2007033941.tif 000003
【図２】
2007033941.tif 000004
【図３】
2007033941.tif 000005
【図４】
2007033941.tif 000006
【図５】
2007033941.tif 000007
【図６】
2007033941.tif 000008
【図７】
2007033941.tif 000009
【図８】
2007033941.tif 000010
【図９】
2007033941.tif 000011